(57)【特許請求の範囲】
【請求項１】
記憶部に記憶されている画像から人物画像を抽出する人物画像抽出部と、
少なくとも各連絡先の連絡情報及び各連絡先の人物画像が登録された電話帳と、
上記電話帳に登録されている各人物画像の中から、上記人物画像抽出部で抽出された人物画像と一致する人物画像を検出する一致人物画像検出部と、
上記一致人物画像検出部で、上記人物画像抽出部で抽出された人物画像と一致する人物画像が上記電話帳から検出されなかった場合、上記人物画像抽出部で抽出された人物画像を、上記電話帳に登録がなされていない未登録人物画像として上記記憶部に記憶制御する未登録人物画像記憶制御部と、
通信部を介して、通信相手の連絡情報と共に当該通信相手の人物画像を受信した際に、この受信した人物画像と一致する未登録人物画像を上記記憶部から検出する一致未登録人物画像検出部と、
上記一致未登録人物画像検出部により、上記受信した人物画像と一致する未登録人物画像が検出された場合、この検出された未登録人物画像を、上記通信部を介して受信した連絡情報に対応する連絡先の人物画像として上記電話帳に登録する人物画像自動登録部と
を有する情報処理装置。
【請求項２】
請求項１に記載の情報処理装置であって、
上記電話帳には、少なくとも各連絡先の電話番号及び各連絡先の人物画像が登録されており、
上記一致未登録人物画像検出部は、テレビ電話通信の通信相手の電話番号と共に受信した当該通信相手の人物画像に基づいて、上記未登録人物画像の検出を行うこと
を特徴とする情報処理装置。
【請求項３】
人物画像抽出部が、記憶部に記憶されている画像から人物画像を抽出するステップと、
一致人物画像検出部が、少なくとも各連絡先の連絡情報及び該各連絡先情報に関連付けられた該各連絡先の人物画像が登録された電話帳から、上記ステップで抽出された人物画像と一致する人物画像を検出するステップと、
上記ステップにおいて、上記一致する人物画像が上記電話帳から検出されなかった場合、未登録人物画像記憶制御部が、上記ステップで抽出された人物画像を、上記電話帳に登録がなされていない未登録人物画像として上記記憶部に記憶制御するステップと、
通信部を介して、通信相手の連絡情報と共に、この通信相手の人物画像を受信した際に、一致未登録人物画像検出部が、この受信した人物画像と一致する未登録人物画像を上記記憶部から検出するステップと、
上記ステップにおいて、上記受信した人物画像と一致する未登録人物画像が検出された場合、人物画像自動登録部が、この検出された未登録人物画像を、上記通信部を介して受信した連絡情報に対応する連絡先の人物画像として上記電話帳に登録するステップと
を有する情報処理方法。
【請求項４】
記憶部に記憶されている画像から人物画像を抽出する人物画像抽出部としてコンピュータを機能させ、
少なくとも各連絡先の連絡情報及び該各連絡先情報に関連付けられた該各連絡先の人物画像が登録された電話帳から、上記人物画像抽出部としてコンピュータを機能させた際に抽出された人物画像と一致する人物画像を検出する一致人物画像検出部としてコンピュータを機能させ、
上記一致人物画像検出部としてコンピュータを機能させた際に、上記人物画像抽出部としてコンピュータを機能させた際に抽出された人物画像と一致する人物画像が上記電話帳から検出されなかった場合、コンピュータを上記人物画像抽出部として機能させることで抽出された人物画像を、上記電話帳に登録がなされていない未登録人物画像として上記記憶部に記憶制御する未登録人物画像記憶制御部としてコンピュータを機能させ、
通信部を介して、通信相手の連絡情報と共に、この通信相手の人物画像を受信した際に、この受信した人物画像と一致する未登録人物画像を上記記憶部から検出する一致未登録人物画像検出部としてコンピュータを機能させ、
上記一致未登録人物画像検出部としてコンピュータを機能させることで、上記受信した人物画像と一致する未登録人物画像が検出された場合、この検出された未登録人物画像を、上記通信部を介して受信した連絡情報に対応する連絡先の人物画像として上記電話帳に登録する人物画像自動登録部としてコンピュータを機能させること
を特徴とする情報処理プログラム。
【請求項５】
画像を記憶する記憶部と、
上記記憶部に記憶されている画像から人物画像を抽出する人物画像抽出部と、
少なくとも各連絡先の連絡情報及び該各連絡情報に関連付けられた該各連絡先の人物画像が登録された電話帳と、
上記電話帳から、上記人物画像抽出部で抽出された人物画像と一致する人物画像を検出する一致人物画像検出部と、
上記一致人物画像検出部で、上記人物画像抽出部で抽出された人物画像と一致する人物画像が上記電話帳から検出されなかった場合、上記人物画像抽出部で抽出された人物画像を、上記未登録人物画像として上記記憶部に記憶制御する未登録人物画像記憶制御部と、
通信部を介して、通信相手の連絡情報と共に、この通信相手の人物画像を受信した際に、この受信した人物画像と一致する未登録人物画像を上記記憶部から検出する一致未登録人物画像検出部と、
上記一致未登録人物画像検出部により、上記受信した人物画像と一致する未登録人物画像が検出された場合、この検出された未登録人物画像を、上記通信部を介して受信した連絡情報に対応する連絡先の人物画像として上記電話帳に登録する人物画像自動登録部と
を有する携帯端末装置。
【発明の詳細な説明】
【技術分野】
【０００１】
本発明は、例えば携帯電話機、ＰＨＳ電話機（PHS：Personal Handyphone System）、通信機能を備えたＰＤＡ装置（PDA：Personal Digital Assistant）やノート型のパーソナルコンピュータ装置等の携帯機器に適用して好適な情報処理装置、情報処理方法、情報処理プログラム、及び携帯端末装置に関し、特に電話帳に対する各ユーザの人物画像の登録を自動化した情報処理装置、情報処理方法、情報処理プログラム、及び携帯端末装置に関する。
【背景技術】
【０００２】
特開２００２−９２０１３号の公開特許公報（特許文献１）に、電話を掛ける際に、発信先の検索を容易化することを目的とした情報検索装置が開示されている。この情報検索装置は、発信先の顔画像データを発信先識別データと対応づけて電話帳メモリに記憶しておき、電話を掛ける際に、表示対象となる登録者氏名の５０音順等の所定の順序で顔画像データを表示する。そして、この顔画像データの中から、発信先となるユーザの顔画像が選択されると、この選択された顔画像のユーザの氏名及び電話番号が表示部に表示され、自動的に電話発信がなされるようになっている。
【０００３】
【特許文献１】特開２００２−９２０１３号公報（第５頁〜第６頁：図５、図６）
【発明の開示】
【発明が解決しようとする課題】
【０００４】
しかし、この特許文献１に開示されている情報検索装置の場合、電話帳メモリに対して各ユーザの顔画像データを予め登録しておく必要がある。この顔画像データの登録は、カメラ部で各ユーザ毎に顔画像の撮像を行い、この撮像した顔画像を、電話帳内の対応するユーザの登録欄に登録し、或いは集合写真から各ユーザの顔画像を切り出して、電話帳内の対応するユーザの登録欄に登録するという、大変面倒な能動的な作業を必要とする。
【０００５】
本発明は上述の課題に鑑みてなされたものであり、電話帳に対する各ユーザの顔画像等の登録を自動的に行うことができるような情報処理装置、情報処理方法、情報処理プログラム、及び携帯端末装置の提供を目的とする。
【課題を解決するための手段】
【０００６】
本発明に係る情報処理装置は、上述の課題を解決するための手段として、
記憶部に記憶されている画像から人物画像を抽出する人物画像抽出部と、
少なくとも各連絡先の連絡情報及び各連絡先の人物画像が登録された電話帳と、
上記電話帳に登録されている各人物画像の中から、上記人物画像抽出部で抽出された人物画像と一致する人物画像を検出する一致人物画像検出部と、
上記一致人物画像検出部で、上記人物画像抽出部で抽出された人物画像と一致する人物画像が上記電話帳から検出されなかった場合、上記人物画像抽出部で抽出された人物画像を、上記電話帳に登録がなされていない未登録人物画像として上記記憶部に記憶制御する未登録人物画像記憶制御部と、
通信部を介して、通信相手の連絡情報と共に当該通信相手の人物画像を受信した際に、この受信した人物画像と一致する未登録人物画像を上記記憶部から検出する一致未登録人物画像検出部と、
上記一致未登録人物画像検出部により、上記受信した人物画像と一致する未登録人物画像が検出された場合、この検出された未登録人物画像を、上記通信部を介して受信した連絡情報に対応する連絡先の人物画像として上記電話帳に登録する人物画像自動登録部と
を有する。
【０００７】
また、本発明に係る情報処理方法は、上述の課題を解決するための手段として、
人物画像抽出部が、記憶部に記憶されている画像から人物画像を抽出するステップと、
一致人物画像検出部が、少なくとも各連絡先の連絡情報及び該各連絡先情報に関連付けられた該各連絡先の人物画像が登録された電話帳から、上記ステップで抽出された人物画像と一致する人物画像を検出するステップと、
上記ステップにおいて、上記一致する人物画像が上記電話帳から検出されなかった場合、未登録人物画像記憶制御部が、上記ステップで抽出された人物画像を、上記電話帳に登録がなされていない未登録人物画像として上記記憶部に記憶制御するステップと、
通信部を介して、通信相手の連絡情報と共に、この通信相手の人物画像を受信した際に、一致未登録人物画像検出部が、この受信した人物画像と一致する未登録人物画像を上記記憶部から検出するステップと、
上記ステップにおいて、上記受信した人物画像と一致する未登録人物画像が検出された場合、人物画像自動登録部が、この検出された未登録人物画像を、上記通信部を介して受信した連絡情報に対応する連絡先の人物画像として上記電話帳に登録するステップと
を有する。
【０００８】
また、本発明に係る情報処理プログラムは、上述の課題を解決するために、
記憶部に記憶されている画像から人物画像を抽出する人物画像抽出部としてコンピュータを機能させ、
少なくとも各連絡先の連絡情報及び該各連絡先情報に関連付けられた該各連絡先の人物画像が登録された電話帳から、上記人物画像抽出部としてコンピュータを機能させた際に抽出された人物画像と一致する人物画像を検出する一致人物画像検出部としてコンピュータを機能させ、
上記一致人物画像検出部としてコンピュータを機能させた際に、上記人物画像抽出部としてコンピュータを機能させた際に抽出された人物画像と一致する人物画像が上記電話帳から検出されなかった場合、コンピュータを上記人物画像抽出部として機能させることで抽出された人物画像を、上記電話帳に登録がなされていない未登録人物画像として上記記憶部に記憶制御する未登録人物画像記憶制御部としてコンピュータを機能させ、
通信部を介して、通信相手の連絡情報と共に、この通信相手の人物画像を受信した際に、この受信した人物画像と一致する未登録人物画像を上記記憶部から検出する一致未登録人物画像検出部としてコンピュータを機能させ、
上記一致未登録人物画像検出部としてコンピュータを機能させることで、上記受信した人物画像と一致する未登録人物画像が検出された場合、この検出された未登録人物画像を、上記通信部を介して受信した連絡情報に対応する連絡先の人物画像として上記電話帳に登録する人物画像自動登録部としてコンピュータを機能させる。
【０００９】
また、本発明に係る携帯端末装置は、上述の課題を解決するための手段として、
画像を記憶する記憶部と、
上記記憶部に記憶されている画像から人物画像を抽出する人物画像抽出部と、
少なくとも各連絡先の連絡情報及び該各連絡情報に関連付けられた該各連絡先の人物画像が登録された電話帳と、
上記電話帳から、上記人物画像抽出部で抽出された人物画像と一致する人物画像を検出する一致人物画像検出部と、
上記一致人物画像検出部で、上記人物画像抽出部で抽出された人物画像と一致する人物画像が上記電話帳から検出されなかった場合、上記人物画像抽出部で抽出された人物画像を、上記未登録人物画像として上記記憶部に記憶制御する未登録人物画像記憶制御部と、
通信部を介して、通信相手の連絡情報と共に、この通信相手の人物画像を受信した際に、この受信した人物画像と一致する未登録人物画像を上記記憶部から検出する一致未登録人物画像検出部と、
上記一致未登録人物画像検出部により、上記受信した人物画像と一致する未登録人物画像が検出された場合、この検出された未登録人物画像を、上記通信部を介して受信した連絡情報に対応する連絡先の人物画像として上記電話帳に登録する人物画像自動登録部と
を有する。
【００１０】
このような本発明は、記憶部に記憶されている人物画像のうち、電話帳に登録されていない人物画像を未登録人物画像として記憶しておく。そして、通信相手の連絡情報と共に、この通信相手の人物画像を受信する形態の通信を行った際に、この受信した人物画像と一致する上記未登録人物画像を検出し、該受信した人物画像と一致する未登録人物画像が検出された場合、この検出された未登録人物画像を、上記通信部を介して受信した連絡情報に対応する連絡先の人物画像として上記電話帳に登録することで、記憶部に記憶されている画像の有効活用を図ると共に、各連絡先の人物画像の登録の自動化を図る。
【発明の効果】
【００１１】
本発明は、電話帳に対する各ユーザの画像の登録を自動的に行うことができる。また、記憶部に記憶されている画像の有効活用を図ることができる。
【発明を実施するための最良の形態】
【００１２】
本発明は、携帯電話機に適用することができる。
【００１３】
［携帯電話機の電気構成］
この本発明の実施の形態となる携帯電話機は、図１に示すように基地局との間で無線通信を行うアンテナ１及び通信回路２と、着信音や受話音声等の音響出力を得るためのスピーカ部３と、送話音声を集音するマイクロホン部４と、画像（動画像、静止画像等）や文字等を表示するための表示部５とを有している。
【００１４】
また、この携帯電話機は、文字等の入力操作や所望のメニューの選択操作等を行うための操作部６と、発着信等を光で知らせるための発光部７（LED：Light Emitting Diode）と、所望の被写体の静止画像或いは動画像を撮像するためのカメラ部８と、当該携帯電話機の筐体を振動させて発着信等をユーザに知らせるためのバイブレーションユニット９とを有している。
【００１５】
また、この携帯電話機は、現在時刻をカウントするタイマ１０と、音声通話通信の他、音声及び動画像を送受信することで通話を行うテレビ電話通信を行うための通信処理プログラム（コミュニケーションプログラム）の他、各種アプリケーションプログラムや、これら各アプリケーションプログラムで取り扱われる各種データ等が記憶されたメモリ１１と、当該携帯電話機全体を制御する制御部１２とを有している。
【００１６】
メモリ１１には、電子メールの作成や送受信を制御するための電子メール管理プログラムと、カメラ部８の撮像制御や、カメラ部８で撮像され、或いはネットワークや入力端子を介して取り込まれた動画像、静止画像のビューワ機能を有するカメラ制御プログラムと、ユーザのスケジュールが登録されたスケジュール帳の管理を行うためのスケジュール帳管理プログラムと、電話帳の管理を行うための電話帳管理プログラムと、音楽コンテンツの再生を行うための音楽プレーヤプログラムとが記憶されている。
【００１７】
また、メモリ１１には、ユーザの所望のスケジュールが登録されるスケジュール帳と、ユーザの知人や友人等の静止画像、電話番号、電子メールアドレス、誕生年月日等が登録された電話帳と、音楽プレーヤプログラムに基づいて再生される音楽コンテンツと、カメラ制御プログラムのビューワ機能に基づいて再生される静止画像及び動画像と、送受信された電子メールと、電話、テレビ電話及び電子メールの発着信履歴等が記憶されている。
【００１８】
［携帯電話機の外観構成］
一例ではあるが、この実施の形態の携帯電話機は、図２（ａ）、（ｂ）に示すように上筐体２１及び下筐体２２をヒンジ部２３を介して折り畳み可能に接続した、いわゆる折り畳み式の携帯電話機となっている。なお、図２（ａ）は、開状態時の当該携帯電話機を、内面側（閉状態時に突き合わせられる面側）から見た図であり、図２（ｂ）は、開状態時の当該携帯電話機を、外面側から見た図である。
【００１９】
図２（ａ）において、この携帯電話機は、上筐体２１に表示部５を有している。また、この携帯電話機は、筐体２１の上端部２１ａと表示部５の上端部５ａとの間に、通話用のスピーカ部３と、第２のカメラ部８ｂ（インカメラ部）とを有している。また、この携帯電話機は、下筐体２２に操作部６を有しており、この操作部６と下筐体２２の下端部２２ａとの間に通話用或いは周囲の音声集音用となるマイクロホン部４を有している。
【００２０】
操作部６は、上下左右に押圧操作可能な十字キー２４と、この十字キーの中央部に設けられた決定キー２５とを有している。また、操作部６は、通常は、電子メール管理プログラムの起動を指示する際に押圧操作を行う第１のソフトキー２６と、通常は、インターネット等のネットワーク接続を指示する際に押圧操作を行う第２のソフトキー２７とを有している。また、操作部６は、通常は、メインメニューの表示を指示する際に押圧操作を行う第３のソフトキー２８と、通常は、所望のコマンドを割り当てて使用する第４のソフトキー２９とを有している。
【００２１】
また、操作部６は、通常、電話発信や着信した電話を取る際に押圧操作するオフフックキー３０と、通常、メイン電源のオンオフ時及び通話終了時に押圧操作するオンフックキー３１と、通常、入力した文字の削除や指定した動作の訂正時等に押圧操作するクリアキー３２と、０〜９の数字やアルファベット、アスタリスク「＊」、シャープ「＃」等の文字が割り当てられた１２個の１２キー３３とを有している。
【００２２】
また、この携帯電話機は、図２（ｂ）に示すように、下筐体２２の背面側（上記操作部６が設けられている面に対して反対側となる面）に第１のカメラ部８ａ（メインカメラ部）を有している。すなわち、この携帯電話機は、図１のブロック図に示すカメラ部８として、メインカメラ部８ａとインカメラ部８ｂとの、計２つのカメラ部を有している。そして、主に、メインカメラ部８ａは他のユーザや風景等を撮像する場合に用いられ、インカメラ部８ｂは、例えばテレビ電話通信を行う際に当該携帯電話機のユーザ等を撮像する際に用いられるようになっている。
【００２３】
［人物画像の自動登録動作］
この実施の形態の携帯電話機は、メモリ１１に記憶されている電話帳に対して、各ユーザの電話番号や電子メールアドレス等の連絡情報は登録されているが、各ユーザの顔画像等の人物画像が登録されていない場合に、この人物画像を自動的に登録するようになっている。
【００２４】
〔未登録顔データの検出動作〕
まず、この実施の形態の携帯電話機は、カメラ部８で撮像された静止画像（動画像でもよい。）、或いはインターネット等の所定のネットワークを介してダウンロードされた静止画像から、電話帳に登録されていない人物画像を検出し、この人物画像を未登録顔データとしてメモリ１１に記憶しておくようになっている。図３のフローチャートに、この未登録顔画データの検出動作の流れを示す。このフローチャートは、カメラ部８で静止画像（或いは動画像）の撮像が行われたタイミング、或いはインターネット等の所定のネットワークを介して静止画像（或いは動画像）がダウンロードされたタイミングで、制御部１２がメモリ１１に記憶されている電話帳管理プログラムに基づいてスタートさせる。
【００２５】
ステップＳ１では、制御部１２が、カメラ部８で撮像された静止画像、或いはネットワークを介してダウンロードされた静止画像をメモリ１１に保存制御してステップＳ２に処理を進める。ステップＳ２では、制御部１２が、上記静止画像に写っている人物の顔部分を抽出して処理をステップＳ３に進める。なお、上記静止画像に複数の人物の人物画像が写っている場合、制御部１２は、各人物の顔部分をそれぞれ抽出する。
【００２６】
ステップＳ３では、制御部１２が、上記抽出した顔部分の静止画像と、電話帳に登録されている各ユーザの人物画像とを比較する。そして、ステップＳ４において、制御部１２が、上記抽出した顔部分の静止画像と一致する人物画像が電話帳に登録されているか否かを判別することで、該抽出した顔部分の静止画像が電話帳内のいずれかのユーザの人物画像として既に登録されているか否かを判別する。
【００２７】
このステップＳ４において、抽出した顔部分の静止画像と一致する人物画像を電話帳から検出した場合、制御部１２は、当該抽出した顔部分の静止画像は電話帳に対して既に登録済みであるものと判別し、この図３のフローチャートの全処理を終了する。
【００２８】
これに対して、抽出した顔部分の静止画像と一致する人物画像を電話帳から検出しなかった場合、制御部１２は、当該抽出した顔部分の静止画像を、電話帳に対する未登録顔画像データとしてメモリ１１に保存し、この図３のフローチャートの全処理を終了する。これにより、カメラ部８で撮像された静止画像や所定のネットワークを介してダウンロードされた静止画像に写っている人物のうち、電話帳に登録されていない人物の顔部分の静止画像は、未登録顔データとしてメモリ１１に保存されることとなる。
【００２９】
〔電話帳への自動登録動作〕
次に、このようにメモリ１１に保存された未登録顔データは、テレビ電話の通話相手の人物画像と一致した際に、自動的に電話帳に登録されるようになっている。図４のフローチャートに、この電話帳への自動登録動作の流れを示す。このフローチャートは、制御部１２が、テレビ電話の通話を開始したタイミング（着信のタイミング或いは発信のタイミング）で、メモリ１１に記憶されている電話帳管理プログラムに基づいてスタートさせる。
【００３０】
ステップＳ１１では、制御部１２が、テレビ電話の通話相手の携帯電話機から送信される当該通話相手の電話番号に基づいて電話帳を参照し、その通話相手の電話番号の登録欄に対する人物画像の登録の有無を検出する。そして、ステップＳ１２において、上記通話相手の電話番号の登録欄に、そのユーザの人物画像が登録されているか否かを判別し、上記通話相手の電話番号の登録欄に、そのユーザの人物画像が登録されているものと判別した場合は、そのままこの図４のフローチャートに示す全処理を終了し、上記通話相手の電話番号の登録欄に、そのユーザの人物画像が登録されていないものと判別した場合は、処理をステップＳ１３に進める。
【００３１】
ステップＳ１３では、制御部１２が、テレビ電話の通話相手の携帯電話機から送信される当該通話相手の人物画像から顔部分の静止画像を抽出して処理をステップＳ１４に進める。ステップＳ１４では、制御部１２が、テレビ電話の通話相手の人物画像から抽出された顔部分の静止画像と、メモリ１１に記憶されている上記未登録顔データとを比較して処理をステップＳ１５に進める。
【００３２】
ステップＳ１５では、制御部１２が、テレビ電話の通話相手の人物画像から抽出された顔部分の静止画像と一致する上記未登録顔データの有無を判別し、該顔部分の静止画像と一致する上記未登録顔データの存在を検出した場合は処理をステップＳ１６に進め、該顔部分の静止画像と一致する上記未登録顔データの存在を検出しなかった場合は、そのままこの図４のフローチャートに示す全処理を終了する。
【００３３】
テレビ電話の通話相手の携帯電話機から送信された当該通話相手の顔部分の静止画像と、上記未登録顔データが一致するということは、この未登録顔データとして記憶されているユーザが、現在の通話相手ということとなる。このため、制御部１２は、ステップＳ１６において、上記未登録顔データを、現在の通話相手の電話番号が登録されている電話帳内の登録欄に自動的に登録して、この図４のフローチャートに示す全処理を終了する。これにより、テレビ電話による通話を行うだけで、自動的にその通話相手となるユーザの人物画像を電話帳に登録することができる。
【００３４】
なお、この例の場合、未登録顔データを電話帳に自動的に登録することとしたが、上記ステップＳ１３で抽出した当該通話相手の顔部分の静止画像を電話帳に自動的に登録してもよい。
【００３５】
また、電話帳に対して人物画像を自動的に登録することとしたが、例えばテレビ電話による通話が終了したタイミング（或いは通話中でもよい。）で、「通話相手の人物画像が電話帳に登録されていません。登録しますか？」等の、登録を行うか否かを問うメッセージを表示部５に表示し、ユーザから操作部６を介して上記登録を指示する操作がなされた際に、上記未登録顔データ或いは上記ステップＳ１３で抽出した当該通話相手の顔部分の静止画像を電話帳に登録してもよい。
【００３６】
また、テレビ電話の発着信履歴として、通話相手の電話番号及び上記ステップＳ１３で抽出した当該通話相手の顔部分の静止画像を保存しておき、この発着信履歴がユーザにより選択操作された際に、前述の登録を行うか否かを問うメッセージを表示部５に表示し、ユーザから登録を指示する操作がなされた際に、上記未登録顔データ或いは上記ステップＳ１３で抽出した当該通話相手の顔部分の静止画像を電話帳に登録してもよい。
【００３７】
また、上記ステップＳ１３で抽出した当該通話相手の顔部分の静止画像と一致する未登録顔データが複数存在する場合、これら未登録顔データを表示部５に一覧表示し、この中からユーザにより選択された未登録顔データを電話帳に登録してもよい。
【００３８】
また、電話帳に対して人物画像を複数枚登録可能な場合は、上記通話相手の顔部分の静止画像と一致する複数の未登録顔データをそれぞれ電話帳に登録してもよいし、未登録顔データと共に、上記ステップＳ１３で抽出した当該通話相手の顔部分の静止画像を電話帳に登録してもよい。
【００３９】
［実施の形態の効果］
以上の説明から明らかなように、この実施の形態の携帯電話機は、カメラ部８で撮像された静止画像、或いはネットワークを介してダウンロードされた静止画像に写っている人物を抽出し、この抽出した人物の人物画像が、電話帳内に既に登録されているか否かを判別する。そして、電話帳内に登録されていない場合には、上記抽出した人物の人物画像を未登録顔データとしてメモリ１１に記憶しておく。
【００４０】
次に、テレビ電話による通話を行った際に、この通話相手の携帯電話機から送信された当該通話相手の電話番号に基づいて電話帳を参照し、該電話番号に対応する通話相手の登録欄に人物画像が登録済みであるか否かを判別する。そして、人物画像が登録されていない場合に、通話相手の携帯電話機から送信された当該通話相手の人物画像と一致する上記未登録顔データをメモリ１１から検出し、この検出した未登録顔データを、上記テレビ電話の通話相手の人物画像として電話帳に自動的に登録する。
【００４１】
これにより、テレビ電話による通話を行うだけで、自動的にその通話相手となるユーザの人物画像を電話帳に登録することができる。このため、各ユーザの人物画像が登録された電話帳を容易かつ自動的に作成可能とすることができる。
【００４２】
また、カメラ部８で撮像した静止画像やネットワークを介してダウンロードした静止画像から抽出された未登録顔データを電話帳に登録するようになっているため、カメラ部８で撮像した静止画像やネットワークを介してダウンロードした静止画像を有効的に利用することができる。また、高解像度カメラ部となっているカメラ部８を有効活用することができる。
【００４３】
［変形例］
上述の実施の形態の説明では、本発明を携帯電話機に適用することとしたが、本発明は、この携帯電話機以外であっても、ＰＨＳ電話機（PHS：Personal Handyphone System）やＰＤＡ装置（PDA：Personal Digital Assistant）、或いはノート型のパーソナルコンピュータ装置等の携帯機器に適用しても上述と同じ効果を得ることができる。
【００４４】
最後に、本発明は、一例として開示したに過ぎない上述の実施の形態に限定されることはない。このため、本発明に係る技術的思想を逸脱しない範囲であれば、上述の実施の形態以外であっても設計等に応じて種々の変更が可能であることは勿論であることを付け加えておく。
【図面の簡単な説明】
【００４５】
【図１】本発明を適用した実施の形態となる携帯電話機のブロック図である。
【図２】実施の形態の携帯電話機の外観を示す図である。
【図３】実施の形態となる携帯電話機の未登録顔データの検出動作を説明するためのフローチャートである。
【図４】実施の形態の携帯電話機の電話帳に対する人物画像の自動登録動作を説明するためのフローチャートである。
【符号の説明】
【００４６】
１  アンテナ、２  通信回路、３  スピーカ部、４  マイクロホン部、５  表示部、６  操作部、７  発光部（ＬＥＤ）、８  カメラ部、８ａ  メインカメラ部、８ｂ  インカメラ部、９  バイブレーションユニット、１０  タイマ、１１  メモリ、１２  制御部、２１  携帯電話機の上筐体、２２  携帯電話機の下筐体、２３  携帯電話機のヒンジ部、２４  十字キー、２５  決定キー、２６  第１のソフトキー、２７  第２のソフトキー、２８  第３のソフトキー、２９  第４のソフトキー、３０  オフフックキー、３１  オンフックキー、３２  クリアキー、３３  １２キー
【図１】
0004827609.tif 000002
【図２】
0004827609.tif 000003
【図３】
0004827609.tif 000004
【図４】
0004827609.tif 000005